(57)【特許請求の範囲】
【請求項１】
電子通信デバイスに関して、サポートされているデジタル著作権管理特性についての情報を提供する方法であって、
前記電子通信デバイスに関連する少なくとも２つの異なるデジタル著作権管理スキームのそれぞれによってサポートされるデジタル著作権管理特性のリスト群へのリファレンスあるいはそのリスト群の少なくともどちらかを、前記電子通信デバイスから、当該電子通信デバイスとネットワークを介して接続されるサーバへ提供するステップと、
コンテンツと、前記リスト群へのリファレンスあるいはそのリスト群とに対するリクエストを、前記電子通信デバイスから、当該電子通信デバイスと前記ネットワークを介して接続されるコンテンツプロバイダへ送信するステップと、
前記少なくとも２つの異なるデジタル著作権管理スキームで共通の特性だけを含む前記リクエストされたコンテンツに対し、そのデジタル著作権管理スキームの内の１つに従う著作権オブジェクトを、前記コンテンツプロバイダから前記電子通信デバイスで受信するステップとを備え、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記サーバ上の前記リスト群の内の１つのリストは、前記電子通信デバイスとリンクによって関連付けられている
ことを特徴とする方法。
【請求項２】
前記リスト群の各リストは、前記第１のデジタル著作権管理スキームに従う著作権オブジェクトの自動生成を可能にするフォーマットで提供される
ことを特徴とする請求項１に記載の方法。
【請求項３】
前記提供するステップは、各デジタル著作権管理スキームによってサポートされる、すべてのデジタル著作権管理特性のリスト群へのリファレンスあるいはそのリスト群を前記電子通信デバイスから前記サーバへ提供することを含む
ことを特徴とする請求項１または２に記載の方法。
【請求項４】
前記提供するステップは、少なくとも２つのデジタル著作権管理スキームで共通する、すべてのデジタル著作権管理特性だけのリスト群へのリファレンスあるいはそのリスト群を前記電子通信デバイスから前記サーバへ提供することを含む
ことを特徴とする請求項１または２に記載の方法。
【請求項５】
前記少なくとも２つのデジタル著作権管理スキームで共通の特性だけを含む前記リクエストされたコンテンツに対する、そのデジタル著作権管理スキームの内の１つに従う著作権オブジェクトを、前記コンテンツプロバイダによって生成するステップを更に備える
ことを特徴とする請求項１乃至４のいずれか１項に記載の方法。
【請求項６】
前記コンテンツプロバイダによって、前記リファレンスによって示される位置から前記リスト群を前記サーバから検索するステップを更に備える
ことを特徴とする請求項５に記載の方法。
【請求項７】
前記電子通信デバイスが、前記著作権オブジェクトを、前記デジタル著作権管理スキームの内の別のデジタル著作権管理スキームに従う著作権オブジェクトに変換するステップとを更に備える
ことを特徴とする請求項５または６に記載の方法。
【請求項８】
コンテンツプロバイダによって、ネットワークを介して電子通信デバイスへ提供するための著作権オブジェクトを生成する方法であって、
前記コンテンツプロバイダが、コンテンツと、前記電子通信デバイスに関連する少なくとも２つのデジタル著作権管理スキームのそれぞれによってサポートされるデジタル著作権管理特性のリスト群へのリファレンスあるいはそのリスト群に対するリクエストを、該電子通信デバイスから受信するステップと、
前記コンテンツプロバイダが、前記少なくとも２つのデジタル著作権管理スキームのすべてに共通する特性だけを含む前記デジタル著作権管理スキームの内の１つに従う前記リクエストされたコンテンツに対する著作権オブジェクトを生成するステップと、
前記コンテンツプロバイダが、前記著作権オブジェクトを、前記電子通信デバイスへ送信するステップとを備え、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記リスト群の内の１つのリストは、前記電子通信デバイスから、当該電子通信デバイスと前記ネットワークを介して接続されるサーバに提供されていて、該サーバ上の前記リスト群の内の１つのリストは、前記電子通信デバイスとリンクによって関連付けられている
ことを特徴とする方法。
【請求項９】
コンテンツプロバイダと通信するための電子通信デバイスであって、
当該電子通信デバイスに関連する少なくとも２つの異なるデジタル著作権管理スキームのそれぞれによってサポートされるデジタル著作権管理特性のリスト群へのリファレンスあるいはそのリスト群の少なくともどちらかを、当該電子通信デバイスとネットワークを介して接続されるサーバへ提供するように構成されているデジタル著作権管理制御ユニットと、
前記デジタル著作権管理制御ユニットの制御の下、コンテンツと前記デジタル著作権管理スキームのそれぞれのリスト群へのリファレンスあるいはそのリスト群とに対するリクエストを、前記コンテンツプロバイダへ送信し、前記デジタル著作権管理スキームで共通の特性だけを含む前記リクエストされたコンテンツに対し、そのデジタル著作権管理スキームの内の１つに従う著作権オブジェクトを前記コンテンツプロバイダから受信するために動作するように構成されている通信ユニットとを備え、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記サーバ上の前記リスト群の内の１つのリストは、当該電子通信デバイスとリンクによって関連付けられている
ことを特徴とする電子通信デバイス。
【請求項１０】
前記リスト群の各リストは、前記第１のデジタル著作権管理スキームに従う著作権オブジェクトの自動生成を可能にするフォーマットで提供される
ことを特徴とする請求項９に記載の電子通信デバイス。
【請求項１１】
前記リスト群へのリファレンスあるいはそのリスト群を前記サーバへ提供する場合に、前記デジタル著作権管理制御ユニットは、各デジタル著作権管理スキームによってサポートされる、すべてのデジタル著作権管理特性のリスト群へのリファレンスあるいはそのリスト群を前記サーバへ提供するように構成されている
ことを特徴とする請求項９または１０に記載の電子通信デバイス。
【請求項１２】
前記リスト群へのリファレンスあるいはそのリスト群を前記サーバへ提供する場合に、前記デジタル著作権管理制御ユニットは、少なくとも２つのデジタル著作権管理スキームで共通する、すべてのデジタル著作権管理特性だけのリストへのリファレンスあるいはそのリストを前記サーバへ提供するように構成されている
ことを特徴とする請求項９または１０に記載の電子通信デバイス。
【請求項１３】
前記第１のデジタル著作権管理スキームに関連付けられている第１固定メディアコンテンツ記憶を更に備える
ことを特徴とする請求項９乃至１２のいずれか１項に記載の電子通信デバイス。
【請求項１４】
前記リムーバルメディアコンテンツ記憶を更に備える
ことを特徴とする請求項１３に記載の電子通信デバイス。
【請求項１５】
当該電子通信デバイスは、ポータブル通信デバイスである
ことを特徴とする請求項９乃至１４のいずれか１項に記載の電子通信デバイス。
【請求項１６】
当該電子通信デバイスは、移動電話である
ことを特徴とする請求項１５に記載の電子通信デバイス。
【請求項１７】
デジタル著作権を管理するためのシステムであって、
コンテンツプロバイダとネットワークを介して通信する電子通信デバイスと、
メディアコンテンツを前記電子通信デバイスへ前記ネットワークを介して提供するコンテンツプロバイダとを備え、
前記電子通信デバイスは、
当該電子通信デバイスに関連する少なくとも２つの異なるデジタル著作権管理スキームのそれぞれによってサポートされるデジタル著作権管理特性のリスト群へのリファレンスあるいはそのリスト群の少なくともどちらかを、当該電子通信デバイスと前記ネットワークを介して接続されるサーバへ提供するように構成されているデジタル著作権管理制御ユニットと、
前記デジタル著作権管理制御ユニットの制御の下、コンテンツと前記デジタル著作権管理スキームのそれぞれのリスト群へのリファレンスあるいはそのリスト群とに対するリクエストを、前記コンテンツプロバイダへ送信し、前記デジタル著作権管理スキームで共通の特性だけを含む前記リクエストされたコンテンツに対し、そのデジタル著作権管理スキームの内の１つに従う著作権オブジェクトを前記コンテンツプロバイダから受信するために動作するように構成されている通信ユニットとを備え、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記サーバ上の前記リスト群の内の１つのリストは、当該電子通信デバイスとリンクによって関連付けられていて、
前記コンテンツプロバイダは、
前記コンテンツと、前記リスト群へのリファレンスあるいはそのリスト群に対する前記リクエストを前記電子通信デバイスから受信し、
前記デジタル著作権管理スキームのすべてに共通する特性だけを含む該デジタル著作権管理スキームの内の１つに従う、前記コンテンツに対する著作権オブジェクトを生成し、
前記著作権オブジェクトを前記電子通信デバイスへ送信するように構成されている
ことを特徴とするシステム。
【請求項１８】
ネットワークを介して接続される電子通信デバイスに対する著作権オブジェクトを生成するためのコンテンツ提供デバイスであって、
当該コンテンツ提供デバイスは、
コンテンツと、前記電子通信デバイスに関連する少なくとも２つの異なるデジタル著作権管理スキームのそれぞれによってサポートされるデジタル著作権管理特性のリスト群へのリファレンスあるいはそのリスト群に対するリクエストを、該電子通信デバイスから受信し、
前記デジタル著作権管理スキームのすべてに共通する特性だけを含むデジタル著作権管理スキームの内の１つに従う前記リクエストされたコンテンツに対する著作権オブジェクトを生成し、
前記著作権オブジェクトを前記電子通信デバイスへ送信するように構成され、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記リスト群の内の１つのリストは、前記電子通信デバイスから、該電子通信デバイスと前記ネットワークを介して接続されるサーバに提供されていて、該サーバ上の前記リスト群の内の１つのリストは、前記電子通信デバイスとリンクによって関連付けられている
ことを特徴とするコンテンツ提供デバイス。
【請求項１９】
コンピュータ可読記憶媒体を備える電子通信デバイスに関して、サポートされているデジタル著作権管理特性についての情報を提供するためのコンピュータプログラムであって、
前記コンピュータ可読記憶媒体は、コンピュータプログラムコード手段を有し、
前記コンピュータプログラムコード手段は、前記プログラムが前記電子通信デバイス内にロードされる場合に、該電子通信デバイスに、
前記電子通信デバイスに関連する少なくとも２つの異なるデジタル著作権管理スキームのそれぞれによってサポートされるデジタル著作権管理特性のリスト群へのリファレンスあるいはそのリスト群の少なくともどちらかを、前記電子通信デバイスから、当該電子通信デバイスとネットワークを介して接続されるサーバへ提供すること、
コンテンツと、前記デジタル著作権管理スキームのリスト群へのリファレンスあるいはそのリスト群に対するリクエストを、当該電子通信デバイスと前記ネットワークを介して接続されるコンテンツプロバイダへ送信すること、
前記デジタル著作権管理スキームのすべてに共通する特性だけを含む前記リクエストされたコンテンツに対し、そのデジタル著作権管理スキームの内の１つに従う著作権オブジェクトを前記コンテンツプロバイダから受信することを実行させるものであり、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記サーバ上の前記リスト群の内の１つのリストは、前記電子通信デバイスとリンクによって関連付けられている
ことを特徴とするコンピュータプログラム。
【請求項２０】
電子通信デバイスに関して、サポートされているデジタル著作権管理特性についての情報を提供するためのコンピュータプログラムであって、
当該プログラムが前記電子通信デバイス内にロードされる場合に、該電子通信デバイスに、
前記電子通信デバイスに関連する少なくとも２つの異なるデジタル著作権管理スキームのそれぞれによってサポートされるデジタル著作権管理特性のリスト群へのリファレンスあるいはそのリスト群の少なくともどちらかを、当該電子通信デバイスとネットワークを介して接続されるサーバへ提供すること、
コンテンツと、前記デジタル著作権管理スキームのリスト群へのリファレンスあるいはそのリスト群に対するリクエストを、当該電子通信デバイスとネットワークを介して接続されるコンテンツプロバイダへ送信すること、
前記デジタル著作権管理スキームのすべてに共通する特性だけを含む前記リクエストされたコンテンツに対し、該デジタル著作権管理スキームの内の１つに従う著作権オブジェクトを前記コンテンツプロバイダから受信することを実行させるコンピュータプログラムコード手段を有し、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記サーバ上の前記リスト群の内の１つのリストは、前記電子通信デバイスとにリンクよって関連付けられている
ことを特徴とするコンピュータプログラム。
【請求項２１】
コンピュータ可読記憶媒体を備えるコンピュータに関して、電子通信デバイスに提供するための著作権オブジェクトを生成するためのコンピュータプログラムであって、
前記コンピュータ可読記憶媒体は、コンピュータプログラムコード手段を有し、
前記コンピュータプログラムコード手段は、前記プログラムが前記コンピュータ内にロードされる場合に、該コンピュータに、
コンテンツと、前記電子通信デバイスに関連する少なくとも２つの異なるデジタル著作権管理スキームのそれぞれによってサポートされるデジタル著作権管理特性のリスト群へのリファレンスあるいはそのリスト群に対するリクエストを、該電子通信デバイスからネットワークを介して受信する場合に、前記デジタル著作権管理スキームのすべてに共通する特性だけを含む該デジタル著作権管理スキームの内の１つに従う前記リクエストされたコンテンツに対する、著作権オブジェクトを生成し、
前記著作権オブジェクトを前記電子通信デバイスに送信することを実行させるものであり、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記リスト群の内の１つのリストは、前記電子通信デバイスから、当該電子通信デバイスと前記ネットワークを介して接続されるサーバに提供されていて、該サーバ上の前記リスト群の内の１つのリストは、前記電子通信デバイスとリンクによって関連付けられている
ことを特徴とするコンピュータプログラム。
【請求項２２】
電子通信デバイスに提供するための著作権オブジェクトを生成するためのコンピュータプログラムであって、
当該プログラムがコンピュータにロードされる場合に、該コンピュータに、
コンテンツと、前記電子通信デバイスに関連する少なくとも２つの異なるデジタル著作権管理スキームのそれぞれによってサポートされるデジタル著作権管理特性のリスト群へのリファレンスあるいはそのリスト群に対するリクエストを、該電子通信デバイスからネットワークを介して受信する場合に、前記デジタル著作権管理スキームのすべてに共通する特性だけを含む該デジタル著作権管理スキームの内の１つに従う前記リクエストされたコンテンツに対する、著作権オブジェクトを生成し、
前記著作権オブジェクトを前記電子通信デバイスに送信することを実行させるものであり、
前記少なくとも２つの異なるデジタル著作権管理スキームの内、第１のデジタル著作権管理スキームは前記電子通信デバイスに関連付けられており、第２のデジタル著作権管理スキームは前記電子通信デバイスのリムーバルメディアコンテンツ記憶に関連付けられていて、
前記リスト群の内の１つのリストは、前記電子通信デバイスから、当該電子通信デバイスと前記ネットワークを介して接続されるサーバに提供されていて、該サーバ上の前記リスト群の内の１つのリストは、前記電子通信デバイスとリンクによって関連付けられている
ことを特徴とするコンピュータプログラム。
【発明の詳細な説明】
【技術分野】
【０００１】
本発明の技術分野
本発明は、デジタル著作権（digital rights）管理に関する機能ネゴシエーション（capability negotiation）の分野に関するものであり、より詳しくは、電子通信デバイスに関連して、サポートされているデジタル著作権管理特性（digital rights management features）についての情報を提供する方法、コンピュータプログラム製品、コンピュータプログラム要素及びコンピュータデータ信号に関するものである。ここで、このような電子通信デバイス、方法、コンテンツ提供デバイス、コンピュータプログラム及びコンピュータプログラム要素は、電子通信デバイス及びデジタル著作権を管理するシステムに提供するための著作権オブジェクトを生成する。
【０００２】
関連技術の説明
電気通信及びコンピュータ通信の分野では、コンテンツをダウンロードすることができる傾向にある。このコンテンツには、例えば、異なるコンテンツプロバイダからの、音楽のような様々な種類の、メディアコンテンツがある。この点に関して、コンテンツは、コンテンツプロバイダによって設定される条件に従って使用されることが必要とされている。これを実行するために、コンテンツは、通常、暗号化され、該当のコンテンツの使用に対する条件を設定している著作権オブジェクトとともに提供される。例えば、固定回数あるいは特定期限内で、１曲の音楽を再生することをユーザに許容することができる。
【０００３】
これを行うことができる環境の１つは、ＯＭＡ（オープンモバイルアライアンス）によって移動電話のエリアに対して設定される。このＯＭＡは、このような著作権オブジェクトを取り扱うために、ＤＲＭ（デジタル著作権管理）スキーム、ＯＭＡ  ＤＲＭを設定している。このスキームは、いくつかのサポートされた特性を設定していて、この特性は、ユーザにコンテンツをダウンロードさせ、デバイス上でそのコンテンツを使用することを可能にしている。このデバイスには、コンテンツプロバイダによって設定される条件の下で、そのコンテンツがダウンロードされている。
【０００４】
しかしながら、他の種類のデバイスに対して、より多くの既存のスキームが存在している。例えば、ソニー社のメモリスティックは、マジックゲートと呼ばれる別のスキームを使用している。
【０００５】
また、コンテンツをダウンロードしている移動電話のようなデバイスのユーザは、様々な理由で、そのコンテンツを別のデバイスに移動したいということは予見できる。これを実行するために、この電話は、例えば、コンテンツを送信することができるメモリスティックへのプラグイン機能を持っている。ここで、メモリスティックは別のデバイスで使用することができる。これは、電話以外でコンテンツを再生する、より良好な機能を持つことになるかもしれない。メモリスティックは、別のデジタル著作権管理スキームをサポートする可能性があり、そのメモリスティックが装着されるデバイスでさえも第３のスキームをサポートする可能性がある。
【０００６】
コンテンツプロバイダの利益を保護するためには、電話のスキームの著作権オブジェクトを、メモリスティックの著作権オブジェクトに変換することが必要である。しかしながら、これは、単純な作業ではない。これらのスキームは、異なる特性をサポートしている可能性があるので、著作権オブジェクトを変換できないという強力なリスクが存在する。これは、第１の著作権オブジェクトは、新規の著作権オブジェクトのスキームに存在しない、特定の特性を持っているからである。このことは、コンテンツが電話での使用に固定されることになり、これは、ユーザの観点からは大きな欠点となる。
【０００７】
同時に、様々なスキームのすべてを追跡し続ける作業を、コンテンツプロバイダに負担させることは実現不可能である。ここで、このスキームは、様々な種類のデバイス及び特性に対して存在し得り、これらは異なるスキームをサポートしている。
【０００８】
それゆえ、コンテンツプロバイダに過度に負担をかけることなく、あるデジタル著作権管理スキームから少なくとも１つの別のスキームへ、コンテンツ著作権を変換することを可能にする方法を提供できることが必要とされている。そうすることで、ユーザは、コンテンツを使用することについてのより高い自由度を得ることができるとともに、コンテンツプロバイダの利益が保護されることを補償する。
【０００９】
本発明の要約
本発明は、コンテンツプロバイダに過度に負担をかけることなく、あるデジタル著作権管理スキームを少なくとも１つの別の管理スキームへ、コンテンツ著作権を変換することを可能にすることにかかる問題の解決に取り組むものである。そうすることによって、ユーザは、コンテンツを使用することについてのより高い自由度を得ることができるとともに、コンテンツプロバイダの利益が保護されることを補償する。
【００１０】
この問題は、通信デバイスに関する、いくつかの異なるデジタル著作権管理スキームのそれぞれによってサポートされるデジタル著作権管理特性のリスト群へのリファレンスあるいは、そのリスト群の少なくとも一方を提供し、かつそのスキームそれぞれのリスト群へのリファレンスあるいはそのリスト群の少なくとも一方を、コンテンツプロバイダに送信することによって解決される。
【００１１】
つまり、本発明の目的の１つは、電子通信デバイスに関して、サポートされているデジタル著作権管理特性についての情報を提供する方法を提供することである。これは、コンテンツプロバイダに過度に負担をかけることなく、あるデジタル著作権管理スキームを少なくとも１つの他のスキームへ、コンテンツ著作権を変換することを可能にする。そうすることによって、ユーザは、コンテンツを使用することについてのより高い自由度を得ることができるとともに、コンテンツプロバイダの利益が保護されることを補償する。
【００１２】
本発明の第１の構成に従えば、この目的は、電子通信デバイスに関して、サポートされているデジタル著作権管理特性についての情報を提供する方法によって達成され、この方法は、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを提供するステップと、
各スキームの前記リスト群へのリファレンスあるいはそのリスト群の少なくともどちらかを、コンテンツプロバイダへ送信するステップとを備え、
前記リスト群の内の１つのリストは、前記電子通信デバイスとリモートで関連付けることができる。
【００１３】
本発明の第２の構成は、前記第１の構成の特徴を含む方法に従うものであり、ここで、各リストは、第１の前記デジタル著作権権利スキームに従う著作権オブジェクトの自動生成を可能にするフォーマットで提供される。
【００１４】
本発明の第３の構成は、前記第１の構成の特徴を含む方法に従うものであり、ここで、前記リスト群へのリファレンスあるいはそのリスト群の少なくともどちらかを提供するステップは、各デジタル著作権管理スキームによってサポートされる、すべてのデジタル著作権管理特性のリスト群へのリファレンスあるいはそのリスト群を提供することを含む。
【００１５】
本発明の第４の構成は、前記第１の構成の特徴を含む方法に従うものであり、ここで、前記リスト群へのリファレンスあるいはそのリスト群の少なくともどちらかを提供するステップは、少なくとも２つのデジタル著作権管理スキームで共通する、すべてのデジタル著作権管理特性だけのリストへのリファレンスあるいはそのリストを提供することを含む。
【００１６】
本発明の第５の構成は、前記第１の構成の特徴を含む方法に従うものであり、ここで、コンテンツに対するリクエストをコンテンツプロバイダへ送信するステップを更に備え、このリクエストは、前記リファレンスあるいは前記リスト群の少なくともどちらかを含んでいる。
【００１７】
本発明の第６の構成は、前記第５の構成の特徴を含む方法に従うものであり、前記少なくとも２つのデジタル著作権管理スキームで共通の特性だけを含む前記リクエストされたコンテンツに対し、そのスキームの内の１つに従う著作権オブジェクトを、コンテンツプロバイダによって生成するステップと、前記著作権オブジェクトを前記電子通信デバイスへ送信するステップとを更に備える。
【００１８】
本発明の第７の構成は、第６の構成の特徴を含む方法に従うものであり、前記コンテンツプロバイダによって、前記リファレンスによって示される位置から前記リスト群を検索するステップを更に備える。
【００１９】
本発明の第８の構成は、第６の構成の特徴を含む方法に従うものであり、前記電子通信デバイス内の前記著作権オブジェクトを受信するステップと、前記著作権オブジェクトを、前記スキームの内の別のスキームに従うオブジェクトに変換するステップとを更に備える。
【００２０】
本発明の別の目的は、コンテンツプロバイダに過度に負担をかけることなく、あるデジタル著作権管理スキームから少なくとも１つの別のスキームへ、コンテンツ著作権をコンテンツプロバイダによって変換することを可能にする電子通信デバイスへ提供するための著作権オブジェクトを生成する方法を提供することである。そうすることで、ユーザは、コンテンツを使用することについてのより高い自由度を得ることができるとともに、コンテンツプロバイダの利益が保護されることを補償する。
【００２１】
本発明の第９の構成に従えば、この目的は、電子通信デバイスへ提供するための著作権オブジェクトを生成する方法によって達成される。この方法は、
前記電子通信デバイスに関連する少なくとも２つのデジタル著作権管理スキームのそれぞれによってサポートされるデジタル著作権管理特性のリスト群へのリファレンス、あるいはそのリスト群の少なくともどちらかを、該電子通信デバイスから受信するステップと、
前記スキームのすべてに共通する特性だけを含む該スキームの内の１つに従って、著作権オブジェクトを生成するステップとを備え、
前記リスト群の内の１つのリストは、前記電子通信デバイスとリモートで関連付けることができる。
【００２２】
本発明の別の目的は、コンテンツプロバイダに過度に負担をかけることなく、あるデジタル著作権管理スキームから少なくとも１つの別のスキームへ、コンテンツ著作権を変換することを可能にするコンテンツプロバイダと通信するための電子通信デバイスを提供することである。そうすることで、ユーザは、コンテンツを使用することについてのより高い自由度を得ることができるとともに、コンテンツプロバイダの利益が保護されることを補償する。
【００２３】
本発明の第１０の構成に従えば、この目的は、コンテンツプロバイダと通信する電子通信デバイスによって達成される。この電子通信デバイスは、コンテンツプロバイダと通信するための電子通信デバイスであって、
当該電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを、提供するように構成されているデジタル著作権管理制御ユニットと、
前記スキームのそれぞれのリスト群へのリファレンスあるいはそのリスト群の少なくともどちらかを、コンテンツプロバイダへ送信するように構成されている送信ユニットとを備え、
前記リスト群の内の１つのリストは、当該電子通信デバイスとリモートで関連付けることができる。
【００２４】
本発明の第１１の構成は、前記第１０の構成の特徴を含む電子通信デバイスに従うものであり、各リストは、第１の前記デジタル著作権権利スキームに従う著作権オブジェクトの自動生成を可能にするフォーマットで提供される。
【００２５】
本発明の第１２の構成は、前記第１０の構成の特徴を含む電子通信デバイスに従うものであり、前記リスト群へのリファレンスあるいはそのリスト群を提供する場合に、前記デジタル著作権管理制御ユニットは、各デジタル著作権管理スキームによってサポートされる、すべてのデジタル著作権管理特性のリスト群へのリファレンスあるいはそのリスト群を提供するように構成される。
【００２６】
本発明の第１３の構成は、前記第１０の構成の特徴を含む電子通信デバイスに従うものであり、前記リスト群へのリファレンスあるいはそのリスト群を提供する場合に、前記デジタル著作権管理制御ユニットは、少なくとも２つのデジタル著作権管理スキームで共通する、すべてのデジタル著作権管理特性だけのリストへのリファレンスあるいはそのリストを提供するように構成される。
【００２７】
本発明の第１４の構成は、前記第１０の構成の特徴を含む電子通信デバイスに従うものであり、前記デジタル著作権管理制御ユニットは、コンテンツに対するリクエストを、前記送信ユニットを介して、前記コンテンツプロバイダへ送信するように構成され、このリクエストは、前記リスト群へのリファレンスあるいは前記リスト群の少なくともどちらかを含んでいる。
【００２８】
本発明の第１５の構成は、前記第１０の構成の特徴を含む電子通信デバイスに従うものであり、第１のデジタル著作権管理スキームに関連付けられている第１固定メディアコンテンツ記憶を更に備える。
【００２９】
本発明の第１６の構成は、前記第１５の構成の特徴を含む電子通信デバイスに従うものであり、第２のデジタル著作権管理スキームに関連付けられているリムーバルメディアコンテンツ記憶を更に備える。
【００３０】
本発明の第１７の構成は、第１０の構成の特徴を含む電子通信デバイスに従うものであり、当該電子通信デバイスは、ポータブル通信デバイスである。
【００３１】
本発明の第１８の構成は、第１７の構成の特徴を含む電子通信デバイスに従うものであり、当該電子通信デバイスは、移動電話である。
【００３２】
本発明の別の目的は、コンテンツプロバイダに過度に負担をかけることなく、あるデジタル著作権管理スキームから少なくとも１つの別のスキームへ、コンテンツ著作権を変換することを可能にするデジタル著作権を管理するシステムを提供することである。そうすることで、ユーザは、コンテンツを使用することについてのより高い自由度を得ることができるとともに、コンテンツプロバイダの利益が保護されることを補償する。
【００３３】
本発明の第１９の構成に従えば、この目的は、デジタル著作権を管理するシステムによって達成される。このシステムは、
コンテンツプロバイダと通信する電子通信デバイスと、
メディアコンテンツを電子通信デバイスへ提供するコンテンツ提供デバイスとを備え、
前記電子通信デバイスは、
当該電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを提供するように構成されているデジタル著作権管理制御ユニットと、
前記スキームのそれぞれのリスト群へのリファレンスあるいはそのリスト群の少なくともどちらかを、コンテンツプロバイダへ送信するように構成されている送信ユニットとを備え、
前記リスト群の内の１つのリストは、当該電子通信デバイスとリモートで関連付けることができ、
前記コンテンツ提供デバイスは、
前記リスト群へのリファレンスあるいはそのリスト群の少なくともどちらかを受信し、前記スキームのすべてに共通する特性だけを含む該スキームの内の１つに従って、著作権オブジェクトを生成するように構成されている。
【００３４】
本発明の別の目的は、コンテンツ提供デバイスに過度に負担をかけることなく、あるデジタル著作権管理スキームから少なくとも１つの別のスキームへ、コンテンツ著作権を変換することを可能にする電子通信デバイスに対し、著作権オブジェクトを生成するコンテンツ提供デバイスを提供することである。そうすることで、ユーザは、コンテンツを使用することについてのより高い自由度を得ることができるとともに、コンテンツプロバイダの利益が保護されることを補償する。
【００３５】
本発明の第２０の構成に従えば、この目的は、電子通信デバイスに対する著作権オブジェクトを生成するためのコンテンツ提供デバイスによって達成される。当該コンテンツ提供デバイスは、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを、該電子通信デバイスから受信し、かつ前記スキームのすべてに共通する特性だけを含む該スキームの内の１つに従って、著作権オブジェクトを生成するように構成され、
前記リスト群の内の１つのリストは、前記電子通信デバイスとリモートで関連付けることができる。
【００３６】
本発明の別の目的は、コンテンツプロバイダに過度に負担をかけることなく、あるデジタル著作権管理スキームから少なくとも１つの別のスキームへ、コンテンツ著作権を変換することを可能にする電子通信デバイスに関して、サポートされているデジタル著作権管理特性についての情報を提供するためのコンピュータプログラムを提供することである。そうすることで、ユーザは、コンテンツを使用することについてのより高い自由度を得ることができるとともに、コンテンツプロバイダの利益が保護されることを補償する。
【００３７】
本発明の第２１の構成に従えば、この目的は、コンピュータ可読媒体を備える電子通信デバイスに関して、サポートされているデジタル著作権管理特性についての情報を提供するためのコンピュータプログラムによって達成される。
【００３８】
前記コンピュータ可読媒体は、コンピュータプログラムコード手段を有し、
前記コンピュータプログラムコード手段は、
前記プログラムが前記電子通信デバイス内にロードされる場合に、該電子通信デバイスに、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを提供すること
各スキームのリスト群へのリファレンスあるいはそのリスト群の少なくともどちらかのコンテンツプロバイダへの送信を指示することを
実行させるものであり、
前記リスト群の内の１つのリストは、前記電子通信デバイスとリモートで関連付けることができる。
【００３９】
本発明の別の目的は、コンテンツプロバイダに過度に負担をかけることなく、あるデジタル著作権管理スキームから少なくとも１つの別のスキームへ、コンテンツ著作権を変換することを可能にする電子通信デバイスに関して、サポートされているデジタル著作権管理特性についての情報を提供するためのコンピュータプログラム要素を提供することである。そうすることで、ユーザは、コンテンツを使用することについてのより高い自由度を得ることができるとともに、コンテンツプロバイダの利益が保護されることを補償する。
【００４０】
本発明の第２２の構成に従えば、この目的は、電子通信デバイスに関して、サポートされているデジタル著作権管理特性についての情報を提供するためのコンピュータプログラム要素によって達成される。このコンピュータプログラム要素は、
当該プログラム要素が前記電子通信デバイス内にロードされる場合に、該電子通信デバイスに、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを提供すること
各スキームのリスト群へのリファレンスあるいはそのリスト群の少なくともどちらかのコンテンツプロバイダへの送信を指示することを
実行させるコンピュータプログラムコード手段を有し、
前記リスト群の内の１つのリストは、前記電子通信デバイスとリモートで関連付けることができる。
【００４１】
本発明の別の目的は、コンテンツプロバイダに過度に負担をかけることなく、あるデジタル著作権管理スキームから少なくとも１つの別のスキームへ、コンテンツ著作権を変換することを可能にする電子通信デバイスに提供するための、著作権オブジェクトを生成するためのコンピュータプログラムを提供することである。そうすることで、ユーザは、コンテンツを使用することについてのより高い自由度を得ることができるとともに、コンテンツプロバイダの利益が保護されることを補償する。
【００４２】
本発明の第２３の構成に従えば、この目的は、コンピュータ可読媒体を備える電子通信デバイスに提供するための、著作権オブジェクトを生成するためのコンピュータプログラムによって達成される。
【００４３】
前記コンピュータ可読媒体は、コンピュータプログラムコード手段を有し、
前記コンピュータプログラムコード手段は、
前記プログラムがコンピュータ内にロードされる場合に、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを、該電子通信デバイスから受信すること、
前記スキームのすべてに共通する特性だけを含む該スキームの内の１つに従って、著作権オブジェクトを生成することを
前記コンピュータに実行させるものであり、
前記リスト群の内の１つのリストは、前記電子通信デバイスとリモートで関連付けることができる。
【００４４】
本発明の別の目的は、コンテンツプロバイダに過度に負担をかけることなく、あるデジタル著作権管理スキームから少なくとも１つの別のスキームへ、コンテンツ著作権を変換することを可能にする電子通信デバイスに提供するための、著作権オブジェクトを生成するためのコンピュータプログラム要素を提供することである。そうすることで、ユーザは、コンテンツを使用することについてのより高い自由度を得ることができるとともに、コンテンツプロバイダの利益が保護されることを補償する。
【００４５】
本発明の第２４の構成に従えば、この目的は、電子通信デバイスに提供するための、著作権オブジェクトを生成するためのコンピュータプログラム要素によって達成される。このコンピュータプログラム要素は、
当該プログラム要素がコンピュータにロードされる場合に、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを、該電子通信デバイスから受信すること、
前記スキームのすべてに共通する特性だけを含む該スキームの内の１つに従って、著作権オブジェクトを生成することを
前記コンピュータに実行させるものであり、
前記リスト群の内の１つのリストは、前記電子通信デバイスとリモートで関連付けることができる。
【００４６】
本発明の別の目的は、コンテンツプロバイダに過度に負担をかけることなく、あるデジタル著作権管理スキームから少なくとも１つの別のスキームへ、コンテンツ著作権を変換することを可能にする電子通信デバイスに関して、サポートされているデジタル著作権管理特性についての情報を提供するためのコンピュータデータ信号を提供することである。そうすることで、ユーザは、コンテンツを使用することについてのより高い自由度を得ることができるとともに、コンテンツプロバイダの利益が保護されることを補償する。
【００４７】
本発明の第２５の構成に従えば、この目的は、電子通信デバイスに関して、サポートされているデジタル著作権管理特性についての情報を提供するための、コンピュータデータ信号によって達成される。このコンピュータデータ信号は、
前記電子通信デバイスに関連する少なくとも２つの異なるデジタル著作権管理スキームのそれぞれによってサポートされるデジタル著作権管理特性のリスト群へのリファレンス、あるいはそのリスト群の少なくともどちらかを備え、
前記リスト群の内の１つのリストは、前記電子通信デバイスとリモートで関連付けることができる。
【００４８】
本発明は、以下の利点を有している。あるデジタル著作権管理スキームから少なくとも１つの別のスキームへ、コンテンツ著作権を変換することを可能にする。これは、異なるデバイス間のコンテンツの移動について、コンテンツの付加的な自由度をユーザに与える。コンテンツプロバイダは、どんな特性が異なるスキームをサポートしているかについてを追跡し続ける必要もない。これは、それについてはコンテンツプロバイダに提供されるからである。また、コンテンツプロバイダは、これらの特性が自身の利益を保護することを満足しているかを直接確認する。また、コンテンツプロバイダは、著作権オブジェクトに含ませるために選択される特性が、電子通信デバイスと、それに関連する他のデバイスによって取り扱うことができることを、ユーザに保障する。本発明の第２及び第１１の構成に従えば、第１のデジタル著作権管理スキームに従って、自動的に著作権オブジェクトを生成することを可能にするフォーマットでリスト群が提供されるので、コンテンツプロバイダは、１つ以上のスキームについて知る必要はなく、一方で、異なるスキームでコンテンツを使用することを必要とするユーザにコンテンツを提供することを依然として可能にしている。第３及び第１２の構成に従って、各スキームに対して異なるリスト群を提供することは、コンテンツプロバイダに、コンテンツが、電話のユーザへの提供対象であるかどうか、また、コンテンツが、他のスキームを有する電話ではなく、他のデバイスで使用上で使用することをどの程度可能であるかについてを自身で決定する機能を与える。
【００４９】
本明細書で使用される場合の用語「備える／備えている」は、説明される機能、整数値、ステップあるいはコンポーネントの存在を特定するために用いているものであるが、１つ以上の他の機能、整数値、ステップ、コンポーネントあるいはそれらのグループの存在あるいは付加を除外するものではないことが強調されるべきである。
【００５０】
本発明の詳細説明
本発明に従うシステムを、図１で説明する。移動電話１０の形式での電子通信デバイスは、基地局１２を有するセルラーネットワーク１４を介して、コンテンツ提供デバイス１６と通信する。ネットワーク１４には、サーバ１７も接続されていて、これには、移動電話がサポートするＤＲＭ（デジタル著作権管理）スキームについての情報が記憶されている。移動電話１０は、コンテンツ提供デバイス１６からコンテンツをダウンロードする。このコンテンツは、様々な種類のメディアファイルの形式とすることができ、例えば、移動電話が扱うことができる様々な種類のフォーマットに従う、ビデオ、音声あるいは静止画がある。ユーザがこのコンテンツをダウンロードすると、それは著作権オブジェクトとともに提供される。この著作権オブジェクトは、別のものとの間で、ユーザがそのコンテンツをどのようにして使用することが可能であるかを定義している。しかしながら、移動電話のユーザは、ダウンロードしたコンテンツを自身が所有する別のデバイスに転送したいと思うか可能性があるが、これは容易に実行することはできない。なぜなら、デバイスのスキームの著作権オブジェクトのすべての特性が別のデバイスのスキームの著作権オブジェクトによってサポートされていない限り、著作権オブジェクトは、使用されるスキームに対して専用のものであり、かつ他のデバイスに関連する著作権オブジェクトに変換することができないからである。
【００５１】
このような変換を可能にするために、移動電話は、図２のユニットを含んでいる。図では、移動電話の関連する部分のブロック図を示していて、ここからは、この図を参照する。つまり、移動電話は、アンテナ２０を介して、図１のネットワークと通信するように構成されている送信ユニット１８を含んでいる。送信ユニット１８は、デジタル著作権管理制御ユニット２２に接続されていて、また、第１固定メディアコンテンツ記憶２４に接続されている。アプリケーションユニット２６は、デバイスのユーザにコンテンツを使用することを可能にするためにメディアコンテンツ記憶２４と接続されていて、このコンテンツは、第１固定メディアコンテンツ記憶２４にダウンロードされている。第２リムーバルメディアコンテンツ記憶２８は、第１固定メディアコンテンツ記憶２４に接続されている。第１デジタル著作権管理スキームは、移動電話に関連付けられている。コンテンツは、固定メディアコンテンツ記憶２４にダウンロードされるので、第１スキームは、この記憶２４に関連付けられているように見せることができる。第２デジタル著作権管理スキームは、第２リムーバルメディア記憶に関連付けられていて、本実施形態では、これはメモリスティックである。デジタル著作権管理制御ユニット２２は、これらの記憶２４及び２８の両方に接続されている。移動電話１０は、上述のユニット以外に、電話の発呼及び着信を行い、また、ダウンロードされたコンテンツに関連のない他の機能を実行するための多くのユニットを含んでいることが理解されるべきである。しかしながら、これらは本発明には関係のないものであるので、本発明の理解を容易にするためにこれらについては省略する。様々なメディアコンテンツ記憶、アプリケーションユニット、通信ユニット及びデジタル著作権管理ユニットは相互に接続されているが、上述の構成は、本発明がどのようにして実現できるかについての単なる例示である。上記の構成及び機能は様々な方法で変更及び変形できることが理解されるべきである。
【００５２】
図３は、本発明に従うコンテンツ提供デバイス１６の関連部分のブロック図を示している。これは、通信ユニット３０、コンテンツ提供制御ユニット３２及びコンテンツ記憶３４を含んでいる。コンテンツ提供制御ユニット３２は、通信ユニット３０及びコンテンツ記憶３０の両方に接続されている。
【００５３】
このシステムの機能として、移動電話の機能を初めに説明する。この機能は、図１、２、３、４及び５を参照して説明される。ここで、図４は、スキーム中のいくつかの特性（カウント、インターバル、日時、ＡＴＲＡＣ、ＭＰ３、ＡＡＣ）をリストに挙げている第１ＤＲＭスキームに関連付けられている第１リスト３６と、スキーム中のいくつかの特性（カウント、ＡＡＣ）をリストに挙げている第２ＤＲＭスキームに関連付けられている第２リスト３８を含むコンテンツに対する、リクエスト信号３５を示している。これは、移動電話１０からコンテンツプロバイダへ送信される。本発明の理解を簡単にするために、図４は、コンテンツに対するリクエストで送信されるリストを示している。実際には、この信号は、リストへのリファレンスだけを含んでいて、これは、サーバ１７上で提供される。また、図４は、模式的に、２つの特性が使用されるスキームに従って、著作権オブジェクト４０とともに、コンテンツプロバイダによって提供されるコンテンツ４２の一部を含むリプライ信号３９を示している。ここで、特性カウントは１０に設定され、使用されるコーディングはＡＴＲＡＣである。リプライ信号３９は、コンテンツプロバイダ１６から移動電話１０へ送信される。図５は、移動電話１０及びコンテンツプロバイダで実行される、本発明に従う方法のフローチャートを示している。
【００５４】
本方法は、コンテンツプロバイダからいくつかの種類のメディアコンテンツをダウンロードすることをユーザが要求すると開始し、このコンテンツプロバイダは、コンテンツ提供デバイスを所有している。このような選択は、キーパッドのようなユーザ入力ユニットを使用して行われ、この選択を、デジタル著作権管理制御ユニットが読み出す。移動電話は、どんな種類のデジタル著作権管理スキームがサポートされているかを前もって知っている。つまり、ユーザがいくつかのコンテンツのダウンロードを要求する場合、デジタル著作権管理制御ユニット２２は、自身の中で、あるいは第２リムーバルコンテンツ記憶２８を介して、移動電話がサポートするスキームを予め把握している。リムーバルコンテンツ記憶２８がサポートするスキームのリストの例は、図４では、３８で示されている。ここでは、リストは、マジックゲートスキームと、特性「カウント」に対するものとして例示されていて、この「カウント」は、コンテンツを何回再生できる回数を示すために使用され、また、特性ＡＴＲＡＣ（適応的変換音響コーディング（Adaptive Transform Acoustic Coding））は、第２記憶２８に記憶される場合にコンテンツに対して使用することができるコーディングの種類が何であるかを示している。サポートされている特性の種類は単なる例示であり、実際には、このスキームによって、より多くのものがサポートできることに注意すべきである。但し、ここでのリストは、記憶２８によってサポートされる、取り得るオプションの１つを含む特性のすべてを含むものである。また、デジタル著作権制御ユニット２２は、移動電話自身がどのスキームをサポートしているかを把握していて、これは、移動電話によってサポートされる特性の第１スキーム３６に対するリストを把握している。ここでは、ＯＭＡ  ＤＲＭスキームによって例示されていて、これは図４でも示されている。ここで、このスキームは特性カウントをサポートし、これは、上述したものと同様である。また、特性インターバルをサポートし、これは、時間インターバル（期間）内でどのコンテンツを再生できるかを示すために使用され、これは、通常、固定の開始日除くインターバルである。更に、固定の時間期間内にどのコンテンツを再生できるかを示す日時をサポートし、更には、ＡＴＲＡＣ、ＭＰ３、ＡＡＣがサポートされている複数種類のコーディングをサポートしている。ここでは、リスト３６は、取り得るオプションを含むスキームによってサポートされる特性のすべてを含んでいるが、本発明の理解をより容易にするために、そのいくつかだけを図４では示している。これらのファイル群あるいはリスト群は、スキームの詳細を示しているのではなく、各スキームがサポートする様々な特性を示しているに過ぎないことに注意すべきである。また、これらのリストは、第１スキームで提供される著作権オブジェクトで使用される構文（シンタックス）の形式で提供される。これの利点については、後述する。第１スキームが、ＯＭＡ  ＤＲＭである場合、これは、ＵＡＰｒｏｆ（ユーザエージェントプルーフ）で定義されるパラメータを使用するＯＭＡ著作権表現言語ボキャブラリで使用されるパラメータ値として、これらの特性が提供されること���意味する。本実施形態では、これらのリストは、サーバ１７上のドキュメントとして提供され、これは、移動電話製造者によって提供される。移動電話は、サーバ１７上のこれらのリストに、例えば、ＵＲＬを使用して、リファレンスあるいはリンクを提供するあるいは含ませる。つまり、この方法は、ステップ４４で、移動電話に関連付けられているすべてのＤＲＭスキームに対する特性のリストへのリファレンスを提供することによって開始される。
【００５５】
２つのリスト３６及び３８へのリファレンスを提供した後は、ステップＳ４６で、デジタル著作権管理制御ユニット２２は、送信ユニット１８を使用して、コンテンツ提供デバイス１６へリクエスト信号３５を送信する。このリクエストは、移動電話１０とリムーバル記憶２８によってサポートされる特性の２つのリスト３６及び３８へのリファレンスとコンテンツの一部に対するリクエストである。このリスト群は、第１スキームによって使用される、明確に表現されるものとしてサーバ１７上に記憶される。その後、ステップ４８で、コンテンツプロバイダ１６は、通信ユニット３０で、コンテンツ３５に対するリクエストを受信する。この通信ユニット３０は、そのリクエストをコンテンツ提供制御ユニット３２へ送信する。ステップ４９で、コンテンツ提供制御ユニット３２は、移動電話から受信するリファレンスを使用して、サーバ１７からリスト群を検索し、ステップ５０で、そのコンテンツに対する著作権オブジェクト４０を作成あるいは生成する。著作権オブジェクトは、ＸＭＬファイルの形式で提供されるのが好ましい。この著作権オブジェクトは、第１スキーム、即ち、移動電話のスキームに従って生成され、かつ、これは、両方のスキームによってサポートされる特性だけを含んでいる。これらの特性は、第１スキームに従う著作権オブジェクトに対する構文を使用してリストに挙げられるので、コンテンツプロバイダにとって、このような著作権オブジェクトを自動的に生成することは容易である。上述の簡略化例では、著作権オブジェクト４０は２つの特性だけを持っていて、第１「カウント」は１０に設定されている、即ち、ユーザはコンテンツを１０回再生することが許可されている。また、設定されている特性ＡＴＲＡＣでコンテンツを再生することが許可されている。即ち、使用されるコーディングはＡＴＲＡＣである。コンテンツ提供制御ユニット３２は、コンテンツ記憶３４から、おそらく暗号化されているコンテンツ４０を検索し、そうでなければ、そのコンテンツの暗号化を実行する。ステップＳ５２で、コンテンツ４２とコンテンツ著作権４２は、通信ユニット３０を使用して、リプライ信号３９で、コンテンツプロバイダ１６から移動電話１０へ送信される。ここで、コンテンツは暗号化されても良く、また、移動電話は、コンテンツを実際に再生可能とするために、いくつかの適切な方法で解読キーを受信する。本実施形態では、このような解読キーは、著作権オブジェクト４０で提供される。上述の実施形態では、コンテンツ及び著作権オブジェクトは移動電話とともに提供されている。しかしながら、これらは、別々に提供することもできる。
【００５６】
ステップ５４で、コンテンツ４２と著作権オブジェクト４０は、デジタル著作権管理制御ユニット２２の制御の下、移動電話１０の送信ユニット１８によって受信され、記憶２４に記憶される。この方法では、アプリケーションユニット２６は、コンテンツを再生することができる。
【００５７】
ここで、ユーザが、例えば、自身のステレオ（stereo）上のように、どこかの場所でコンテンツを再生したいと想定する。ユーザは、コンテンツをリムーバル記憶２８に移動したいとする。これを実行するために、ステップ５６で、デジタル著作権管理制御ユニット２２は、その著作権オブジェクトを、リムーバル記憶２８によってサポートされるスキーム３８に従う著作権オブジェクトに変換する。その後、ステップ５８で、コンテンツと新規の著作権オブジェクトは、リムーバル記憶２８に送信され、ここでは、移動電話から切断して、かつ例えば、ステレオ、ビデオあるいはコンピュータに持ってくることが可能となる。この方法では、コンテンツプロバイダの利益を補償しながら、ユーザは、自由にコンテンツをあるデバイスから別のデバイスへ移動することができる。
【００５８】
様々な制御ユニットが、プログラムメモリと関連付けられている１つ以上のプロセッサの形式で提供されることが好ましい、これらは、本発明に従う様々な方法のステップを実行する。記憶は、通常のメモリとして提供されることが好ましい。通信ユニットは、例えば、ＡＳＩＣ回路のような、通常の通信回路の形式で提供されることが好ましい。
【００５９】
本発明を実行するプログラムコードも、１つ以上のデータ搬送波上で提供することができ、これは、移動電話あるいはコンテンツ提供デバイスにロードされる場合に本発明を実行する。この１つ以上のデータ搬送波の１つの種類には、図６に示されるＣＤ  ＲＯＭディスク６０がある。これは、１つのデータ搬送波の単なる例示である。他の種類には、例えば、メモリスティックの類でも実現することができる。また、プログラムコードは、外部サーバから、移動電話あるいはコンテンツプロバイダあるいはそれらの両方へダウンロードすることもできる。
【００６０】
本発明は、いくつかの利点を持っている。それは、あるデジタル著作権管理スキームから少なくとも１つの別のスキームへの、コンテンツ著作権の変換を可能にすることである。これは、異なるデバイス間で、コンテンツを移動することに関し、ユーザに更なるコンテンツへの自由度を与える。コンテンツプロバイダは、どんな特性が異なるスキームをサポートしているかについてを追跡し続ける必要もない。これは、これについての情報がコンテンツプロバイダに提供されるからである。また、コンテンツプロバイダは、これらの特性が自身の利益を保護するのに十分であるかを直接確認する。コンテンツプロバイダは、著作権オブジェクトに含めるものとして選択される特性を、電子通信デバイスと、それに関連する他のデバイスによって取り扱うことができることを、ユーザに対して保証することもできる。第１スキームに従う著作権オブジェクトに対して使用される構文に従って設定される特性を有する２つのリストが提供されるので、コンテンツプロバイダは、異なるスキームでコンテンツを使用することを必要とするユーザにもコンテンツを提供することを可能にしながら、１つ以上のスキームについてを把握している必要がない。また、第１スキームに従う構文の使用は、コンテンツプロバイダに、著作権オブジェクトを自動的に生成することを可能にする。異なるリストの提供は、コンテンツが移動電話のユーザへの提供対象であるかどうかについて、また、移動電話以外の別のデバイスでどの程度使用されるかについてを、自身で決定する機能をコンテンツプロバイダに与える。
【００６１】
本発明を様々に変形可能なものがいくつか存在する。移動電話が、ＤＩＦヘッダのような追加の情報を含めることができる場合には、コンテンツ提供デバイスで送信されるリクエストで、移動電話は、機能及びアプリケーションをダウンロードすることが可能である。ここで、追加の情報は、移動電話の追加の機能についての情報を含めることができる。移動電話は、更に、リスト群の両方あるいは１つを自身に提供して、それあるいはそれらをコンテンツ提供デバイスへ直接送信することができる。また、移動電話あるいはサーバは、両方のＤＲＭスキームによってのみサポートされる、あるいは共通してサポートされる特性のリストを提供することが可能である。これは、コンテンツプロバイダに、どんな特性が両方のスキームをサポートしているかをチェックする負担から解放するばかりか、コンテンツを配信するオプションにどんな制限があるか否かをチェックする負担から解放する。また、例えば、メモリスティックが装着される、ビデオ、ステレオ、コンピュータのような第３の機器にもリストを提供することが可能となる。他のデバイスに対するスキームについての情報は、例えば、ブルートゥースTMを介して、デバイスから直接受信しても良い。このような情報は、例えば、デバイスの製造者のような、他のデバイスから受信することもでき、これについては、リムーバル記憶に対してもあてはまる。一般的には、本発明は、２つのリストに制限されるものではなく、１つ以上のリストについても適用可能であり、ここでの制約は、移動電話の限られたメモリ空間だけである。本発明は、更には、移動電話に関して提供される。しかしながら、いくつかの他の種類のデバイス、例えば、コミュニケータ、電子オーガナイザ、スマートフォン、パームトップコンピュータ、ラップトップコンピュータあるいはＰＣ上でさえにも、本発明を提供できることが成立するものである。同様に、使用される通信ネットワークは、セルラーネットワークである必要はなく、任意の適切な通信ネットワークにすることができる。つまり、本発明は、請求項によってのみ制限されるものとなる。
【図面の簡単な説明】
【００６２】
【図１】本発明に従う電子通信デバイスとコンテンツ提供デバイスを含む、本発明に従うシステムのブロック図である。
【図２】本発明に従う電子通信デバイスのブロック図である。
【図３】本発明に従うコンテンツ提供デバイスのブロック図である。
【図４】電子通信デバイスからのコンテンツに対するリクエストの送信と、コンテンツ提供デバイスからの、リクエストされたコンテンツの配信を示す図である。
【図５】本発明に従う、サポートされているデジタル著作権管理スキームについての情報の提供及びコンテンツの受信を行う方法を示すフローチャートである。
【図６】ＣＤ  ＲＯＭディスクの形式での、本発明に従うコンピュータプログラム製品を示す図である。
【図１】
0004629661.tif 000002
【図２】
0004629661.tif 000003
【図３】
0004629661.tif 000004
【図４】
0004629661.tif 000005
【図５】
0004629661.tif 000006
【図６】
0004629661.tif 000007